(57)【要約】【課題】  接続ケーブルの導通確認の手間を軽減することができる電力監視制御システムを提供する。【解決手段】  接続ケーブル８の一端に接続された第１の端子台３０を有し、電力の監視制御を行う受配電装置３と、接続ケーブル８の他端に接続された第２の端子台２０を有し、接続ケーブル８を介し受配電装置３との間で、監視制御信号の送受信を行う監視制御装置２と、第２の端子台２０に装着されることで、接続ケーブル８に接続される確認装置親器４と、第１の端子台３０に装着されることで、接続ケーブル８に接続される確認装置子器５と、を有し、確認装置親器４と確認装置子器５により接続ケーブル８の導通が確認される。【選択図】  図１
2019082427.tif 000002
【特許請求の範囲】
【請求項１】
接続ケーブルの一端に接続された第１の端子台を有し、電力の監視制御を行う受配電装置と、
前記接続ケーブルの他端に接続された第２の端子台を有し、前記接続ケーブルを介し前記受配電装置との間で、監視制御信号の送受信を行う監視制御装置と、
前記第２の端子台に装着されることで、前記接続ケーブルに接続される確認装置親器と、
前記第１の端子台に装着されることで、前記接続ケーブルに接続される確認装置子器と、
を有し、
前記確認装置親器と前記確認装置子器により前記接続ケーブルの導通が確認される電力監視制御システム。
【請求項２】
前記受配電装置の前記第１の端子台に前記確認装置子器が装着されることで、前記受配電装置の内部回路と前記接続ケーブルが電気的に非導通とされ、
前記監視制御装置の前記第２の端子台に前記確認装置親器が装着されることで、前記監視制御装置の内部回路と前記接続ケーブルが電気的に非導通とされる、
請求項１に記載の電力監視制御システム。
【請求項３】
前記受配電装置の前記第１の端子台に前記確認装置子器が装着されることで、前記受配電装置から前記確認装置子器に電源供給され、
前記監視制御装置の前記第２の端子台に前記確認装置親器が装着されることで、前記監視制御装置から前記確認装置親器に電源供給される、
請求項１又は２に記載の電力監視制御システム。
【請求項４】
前記確認装置親器は、前記確認装置子器に対し接続ケーブルの信号線ごとに確認信号を送信する、
請求項１乃至３のいずれか１項に記載の電力監視制御システム。
【請求項５】
前記確認装置親器から送信された前記確認信号は、一定の電圧であり、
前記確認装置子器により、前記確認信号に基づき、前記接続ケーブルの信号線ごとに導通が確認される、
請求項４に記載の電力監視制御システム。
【請求項６】
前記確認装置親器から送信された前記確認信号は、シリアル信号であり、
前記確認装置子器により、前記確認信号に基づき、前記接続ケーブルの信号線ごとに導通が確認され、
前記確認装置子器から、前記確認信号が送信された前記接続ケーブルの信号線を用いてシリアル信号にて、前記確認信号に応答する返信信号が、前記確認装置親器に送信される、
請求項４に記載の電力監視制御システム。
【発明の詳細な説明】
【技術分野】
【０００１】
本実施形態は電力系統の監視を行う電力監視制御システムに関する。
【背景技術】
【０００２】
電力を安定供給するために電力系統に電力監視制御装置が設置される。この種の電力監視制御装置としては、送変電設備の電気量を計測し、電力系統に設置された各受配電設備機器および電力系統の故障を検出する電力監視制御装置が知られている。
【先行技術文献】
【特許文献】
【０００３】
【特許文献１】特開２０１３−１５６１０３公報
【特許文献２】特開平０８−１２４０７３公報
【特許文献３】特開平１１−９６４８８公報
【発明の概要】
【発明が解決しようとする課題】
【０００４】
電力監視制御システムは、電力を安定供給するため、電力系統の故障を検出し、電力系統に設置された各受配電設備機器の制御を行う。各受配電設備機器の制御は、監視制御装置により制御された受配電装置により行われる。監視制御装置から受配電装置に対し、各受配電設備機器を制御する信号が送信される。
【０００５】
監視制御装置と受配電装置との間は、接続ケーブルにより接続される。しかしながら、この接続ケーブルは、多数の信号線により構成されており、信号線の断線を検出することが煩雑であるとの問題点があった。
【０００６】
本実施形態は、上記問題点を解決するために、接続ケーブルの導通確認の手間を軽減することができる電力監視制御システムを提供することを目的とする。
【課題を解決するための手段】
【０００７】
本実施形態の電力監視制御システムは、次のような特徴を有する。
（１）接続ケーブルの一端に接続された第１の端子台を有し、電力の監視制御を行う受配電装置。
（２）前記接続ケーブルの他端に接続された第２の端子台を有し、前記接続ケーブルを介し前記受配電装置との間で、監視制御信号の送受信を行う監視制御装置。
（３）前記第２の端子台に装着されることで、前記接続ケーブルに接続される確認装置親器。
（４）前記第１の端子台に装着されることで、前記接続ケーブルに接続される確認装置子器。
（５）前記確認装置親器と前記確認装置子器により前記接続ケーブルの導通が確認される。
また、上記の監視制御装置、受配電装置も本実施形態に含まれる。
【図面の簡単な説明】
【０００８】
【図１】第１実施形態にかかる電力監視制御システムを示す図
【図２】第１実施形態にかかる監視制御装置および確認装置親器の端子台の構造を示す図
【図３】第１実施形態にかかる確認装置親器のプログラムフローを示す図
【図４】第１実施形態にかかる確認装置子器のプログラムフローを示す図
【発明を実施するための形態】
【０００９】
［１．第１実施形態］
［１−１．構成］
図１〜２を参照して本実施形態の一例としての電力監視制御システムについて説明する。
【００１０】
本電力監視制御システム１は、監視制御装置２、受配電装置３、接続ケーブル８を有する。監視制御装置２は、接続ケーブル８を介し、受配電装置３に接続される。導通確認時に監視制御装置２に確認装置親器４が、受配電装置３に確認装置子器５が接続され、接続ケーブル８の導通が確認される。
【００１１】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００１２】
（１）監視制御装置２
監視制御装置２は、大型の表示装置がコンソールに収納された電力系統の監視制御を行うための装置である。監視制御装置２は、具体的には主回路機器の制御を行う連動ＰＬＣ（プログラマブルロジックコントロール）盤、系統保護を行う保護継電器盤、系統の電気量を計測する計測盤等の機器である。
【００１３】
監視制御装置２は、接続ケーブル８を介し受配電装置３に対し、受配電設備機器（図中不示）を制御する制御信号を送信する。また、監視制御装置２は、接続ケーブル８を介し受配電装置３から、電力系統の故障等に関する監視信号を受信する。監視制御装置２は、受配電設備機器が設置された配電室等に設置される。
【００１４】
監視制御装置２は、端子台２０、内部回路２５を有する。
【００１５】
（端子台２０）
端子台２０は、ベークやフェノール等の絶縁樹脂により構成された基材６０に、銅等の導電材料により構成された端子が配列された、配電用の部材である。端子台２０は、さらにケーブル接続端子２１、内部回路接続端子２２、コネクタ２３を有する。
【００１６】
図２に、端子台２０およびコネクタ４１の拡大図を示す。端子台２０は、接続ケーブル８の信号線９ａ〜９ｐの各線に対応した、ケーブル接続端子２１ａ〜２１ｐを有する。図２には、端子台２０およびコネクタ４１の一部である、ケーブル接続端子２１ａ、内部回路接続端子２２ａ、コネクタ２３ａおよびコネクタ４１ａの部分が示されている。
【００１７】
（ケーブル接続端子２１）
ケーブル接続端子２１は、導電板６１、固定ネジ６２、座金６３により構成される。導電板６１は、銅等の導電材料により構成され固定ネジが挿入される雌ネジ部分を有する。固定ネジ６２は、真鍮等により構成されたネジである。座金６３は、銅等の導電材料により構成され固定ネジ６２が挿通される挿通口を有する。
【００１８】
接続ケーブル８の信号線９は、座金６３を介し固定ネジ６２により導電板６１に固定される。
【００１９】
導電板６１は、一方が内部回路接続端子２２方向に伸び、コネクタ２３の端子６７を構成する。導電板６１と、端子６７は、一体に形成される。ケーブル接続端子２１は、接続ケーブル８の信号線９を電気的にコネクタ２３の端子６７に接続する。
【００２０】
（内部回路接続端子２２）
端子台２０は、接続ケーブル８の信号線９ａ〜９ｐの各線に対応した、内部回路接続端子２２ａ〜２２ｐおよび、内部回路２５から電源が供給される内部回路接続端子２２ｕ〜２２ｖを有する。内部回路接続端子２２は、導電板６４、固定ネジ６５、座金６６により構成される。導電板６４は、銅等の導電材料により構成され固定ネジが挿入される雌ネジ部分を有する。固定ネジ６５は、真鍮等により構成されたネジである。座金６６は、銅等の導電材料により構成され固定ネジ６５が挿通される挿通口を有する。
【００２１】
内部回路２５の各線は、座金６６を介し固定ネジ６５により導電板６４に固定される。
【００２２】
導電板６４は、一方がケーブル接続端子２１方向に伸び、コネクタ２３の端子６８を構成する。導電板６４と、端子６８は、一体に形成される。内部回路接続端子２２は、内部回路２５の各線を電気的にコネクタ２３の端子６８に接続する。
【００２３】
（コネクタ２３）
端子台２０は、接続ケーブル８の信号線９ａ〜９ｐの各線に対応した、コネクタ部２３ａ〜２３ｐおよび、内部回路２５から電源が供給されるコネクタ２３ｕ〜２３ｖを有する。コネクタ２３は、端子６７、端子６８により構成される。端子６７は、銅等の導電材料により導電板６１と一体に形成される。端子６８は、銅等の導電材料により導電板６４と一体に形成される。
【００２４】
端子６７、端子６８は、材料が有する弾力によるバネ構造を有す。後述するコネクタ４１が挿入されない状態では、材料が有する弾力により端子６７および端子６８は接触し電気的に導通となる。コネクタ４１が挿入された状態では、材料が有する弾力により端子６７および端子６８は非接触となり電気的に非導通となる。
【００２５】
コネクタ２３は、コネクタ４１が挿入されない状態では、ケーブル接続端子２１と内部回路接続端子２２を電気的に導通させる。コネクタ２３は、コネクタ４１が挿入された状態では、ケーブル接続端子２１と内部回路接続端子２２を電気的に非導通とする。
【００２６】
（内部回路２５）
内部回路２５は、マイクロコンピュータ等により構成された回路である。内部回路２５は、端子台２０の内部回路接続端子２２に接続される。内部回路２５は、端子台２０にコネクタ４１が挿入されない状態では、端子台２０を介し、接続ケーブル８の信号線９と電気的に導通とされる。内部回路２５は、端子台２０にコネクタ４１が挿入された状態では、接続ケーブル８の信号線９と電気的に非導通とされる。
【００２７】
内部回路２５は、端子台２０にコネクタ４１が挿入されない状態で、接続ケーブル８の信号線９と電気的に導通とされた時に、接続ケーブル８の信号線９を介し受配電装置３から、電力系統の故障等に関する監視信号を受信する。また、内部回路２５は、接続ケーブル８の信号線９を介し受配電装置３に対し、受配電設備機器（図中不示）を制御する制御信号を送信する。
【００２８】
内部回路２５は、端子台２０にコネクタ４１が挿入されることにより、接続ケーブル８の信号線９と電気的に非導通とされ、休止状態となる。
【００２９】
（２）受配電装置３
受配電装置３は、マイクロコンピュータ等により構成された装置である。受配電装置３は、受配電設備機器（図中不示）から電力系統の故障等に関する監視信号を受信する。また、受配電装置３は、接続ケーブル８の信号線９を介し監視制御装置２に対し、監視信号を送信する。
【００３０】
また、受配電装置３は、接続ケーブル８の信号線９を介し監視制御装置２から受配電設備機器を制御する制御信号を受信する。また、受配電装置３は、受配電設備機器に対し、制御信号を送信する。受配電装置３は、受配電設備機器が設置された配電室等に設置される。対象となる受配電設備機器は、電力系統の開閉を行う開閉器、電流電圧等の計測を行う各種計測器等である。
【００３１】
受配電装置３は、端子台３０、内部回路３５を有する。
【００３２】
（端子台３０）
端子台３０の構造は、基本的には図２に示す端子台２０の構造と同様である。端子台３０は、さらにケーブル接続端子３１、内部回路接続端子３２、コネクタ３３を有する。
【００３３】
（ケーブル接続端子３１）
端子台３０は、接続ケーブル８の信号線９ａ〜９ｐの各線に対応した、ケーブル接続端子３１ａ〜３１ｐを有する。ケーブル接続端子３１は、ケーブル接続端子２１同様、導電板６１、固定ネジ６２、座金６３により構成される。接続ケーブル８の信号線９ａ〜９ｐの各線は、座金６３を介し固定ネジ６２により導電板６１に固定される。
【００３４】
（内部回路接続端子３２）
端子台３０は、接続ケーブル８の信号線９ａ〜９ｐの各線に対応した、内部回路接続端子３２ａ〜３２ｐおよび、内部回路３５から電源が供給される内部回路接続端子３２ｕ〜３２ｖを有する。内部回路３５の各線は、座金６６を介し固定ネジ６５により導電板６４に固定される。
【００３５】
（コネクタ３３）
端子台３０は、接続ケーブル８の信号線９ａ〜９ｐの各線に対応した、コネクタ３３ａ〜３３ｐおよび、内部回路２５から電源が供給されるコネクタ３３ｕ〜３３ｖを有する。
【００３６】
コネクタ３３の端子６７、端子６８は、材料が有する弾力によるバネ構造を有す。後述するコネクタ５１が挿入されない状態では、材料が有する弾力により端子６７および端子６８は接触し電気的に導通となる。コネクタ５１が挿入された状態では、材料が有する弾力により端子６７および端子６８は非接触となり電気的に非導通となる。
【００３７】
コネクタ３３は、コネクタ５１が挿入されない状態では、ケーブル接続端子３１と内部回路接続端子３２を電気的に導通させる。コネクタ３３は、コネクタ５１が挿入された状態では、ケーブル接続端子３１と内部回路接続端子３２を電気的に非導通とする。
【００３８】
（内部回路３５）
内部回路３５は、マイクロコンピュータ等により構成された回路である。内部回路３５は、端子台３０の内部回路接続端子３２に接続される。内部回路３５は、端子台３０にコネクタ５１が挿入されない状態では、端子台３０を介し、接続ケーブル８の信号線９と電気的に導通とされる。内部回路３５は、端子台３０にコネクタ５１が挿入された状態では、接続ケーブル８の信号線９と電気的に非導通とされる。
【００３９】
内部回路３５は、端子台３０にコネクタ５１が挿入されず、接続ケーブル８の信号線９と電気的に導通とされた時に、接続ケーブル８の信号線９を介し監視制御装置２に対し、電力系統の故障等に関する監視信号を送信する。また、内部回路３５は、接続ケーブル８の信号線９を介し監視制御装置２から、受配電設備機器（図中不示）を制御する制御信号を受信する。
【００４０】
内部回路３５は、端子台３０にコネクタ５１が挿入されることにより、接続ケーブル８の信号線９と電気的に非導通とされ、休止状態となる。なお、受配電装置３に接続された開閉器や計測器等の受配電設備は、動作を継続する。
【００４１】
（３）接続ケーブル８
接続ケーブル８は、複数の信号線９ａ〜９ｐを有する。接続ケーブル８は、同軸ケーブルまたは平打ケーブルにより構成される。接続ケーブル８は、一方を監視制御装置２の端子台２０、他方を受配電装置３の端子台３０に接続される。接続ケーブル８は、信号線９ａ〜９ｐにより、通常の運転時に制御信号、監視信号を送信し、導通確認時に確認信号を送信する。
【００４２】
（４）確認装置親器４
確認装置親器４は、マイクロコンピュータ等により構成された装置である。確認装置親器４は、接続ケーブル８の導通確認時に監視制御装置２に接続され、受配電装置３に接続された確認装置子器５との間で、接続ケーブル８の導通、非導通、混信を確認する。確認装置親器４は、コネクタ４１、送受信部４２、制御部４３、出力部４４、操作部４５を有する。
【００４３】
（コネクタ４１）
コネクタ４１は、ベークやフェノール等の絶縁樹脂により構成された基材７０に、銅等の導電材料により構成された接触子である端子７１が配列された、配電用の部材である。図２に、コネクタ４１の拡大図を示す。コネクタ４１は、接続ケーブル８の信号線９ａ〜９ｐの各線に対応した、端子７１ａ〜７１ｐおよび、内部回路２５から電源が供給される端子７１ｕ〜７１ｖを有する。図２には、コネクタ４１の一部である、コネクタ４１ａの部分が示されている。
【００４４】
コネクタ４１の端子７１ａ〜７１ｐは、コネクタ２３の端子６７に接する側の、基材７０の面に配置される。コネクタ４１の端子７１ｕ、７１ｖは、コネクタ２３の端子６８に接する側の、基材７０の面に配置される。コネクタ４１の端子７１は、いずれも検出部４２に接続される。コネクタ４１は、接続ケーブル８の導通確認時に、監視制御装置２の端子台２０のコネクタ２３に挿入される。
【００４５】
端子台２０のコネクタ２３にコネクタ４１が挿入されることにより、コネクタ４１の端子７１ａ〜７１ｐはケーブル接続端子２１を介し接続ケーブル８の信号線９ａ〜９ｐと電気的に導通とされる。また、コネクタ４１の端子７１ｕ、７１ｖは、内部回路接続端子２２を介し内部回路２５と電気的に導通とされる。コネクタ４１の端子７１ｕ、７１ｖには、内部回路２５から電源となる電圧が供給される。
【００４６】
端子台２０のコネクタ２３にコネクタ４１が挿入されることにより、内部回路２５は、接続ケーブル８の信号線９と電気的に非導通とされ、休止状態となる。
【００４７】
（送受信部４２）
送受信部４２は、半二重通信のシリアルデータの送受信回路により構成される。送受信部４２は、送受信を制御部４３に制御される。送受信部４２は、コネクタ４１を介し、接続ケーブル８の信号線９に接続される。送受信部４２は、接続ケーブル８の信号線９を介し、受配電装置３に接続された確認装置子器５との間で、確認信号の送信、返信信号の受信を行う。送受信部４２は、接続ケーブル８の信号線９ごとに、確認装置子器５との間で確認信号の送信、返信信号の受信を行う。
【００４８】
（出力部４４）
出力部４４は、ＬＥＤおよび液晶表示器等の表示素子により構成された表示装置である。出力部４４は、表示を制御部４３に制御される。出力部４４は、接続ケーブル８の信号線９に対応した表示を有する。出力部４４は、接続ケーブル８の導通、非導通、混信を表示する。
【００４９】
（操作部４５）
操作部４５は、プッシュスイッチ等の入力装置により構成される。操作部４５は、作業者に操作され開始信号を発生する。
【００５０】
（制御部４３）
制御部４３は、マイクロコンピュータ等により構成される。制御部４３は、後述するコンピュータプログラムを内蔵する。制御部４３は、送受信部４２、出力部４４、操作部４５に接続される。
【００５１】
制御部４３は、確認信号の送信、返信信号の受信を行うように送受信部４２を制御する。制御部４３は、送受信部４２による返信信号の受信に応じ、接続ケーブル８の信号線９ごとに、導通、非導通、混信の判断を行う。制御部４３は、接続ケーブル８の信号線９ごとの導通、非導通、混信を表示するように出力部４４を制御する。
【００５２】
制御部４３は、操作部４５から出力された開始信号を受信し、コンピュータプログラムにかかる動作を開始する。
【００５３】
（５）確認装置子器５
確認装置子器５は、マイクロコンピュータ等により構成された装置である。確認装置子器５のハードウェアの構成は、基本的には確認装置親器４の構成と同様である。確認装置子器５と確認装置親器４は、制御部５３に内蔵されたコンピュータプログラムにおいて異なる。
【００５４】
確認装置子器５は、接続ケーブル８の導通確認時に受配電装置３に接続され、監視制御装置２に接続された確認装置親器４との間で、接続ケーブル８の導通、非導通、混信を確認する。確認装置子器５は、コネクタ５１、送受信部５２、制御部５３、出力部５４、操作部５５を有する。
【００５５】
（コネクタ５１）
コネクタ５１は、接続ケーブル８の信号線９ａ〜９ｐの各線に対応した、端子および、内部回路３５から電源が供給される端子を有する。コネクタ５１の端子は、いずれも送受信部５２に接続される。コネクタ５１は、接続ケーブル８の導通確認時に、受配電装置３の端子台３０のコネクタ３３に挿入される。
【００５６】
端子台３０のコネクタ３３にコネクタ５１が挿入されることにより、コネクタ５１の端子はケーブル接続端子３１を介し接続ケーブル８の信号線９と電気的に導通とされる。また、コネクタ５１の電源用の端子は、内部回路接続端子３２を介し内部回路３５と電気的に導通とされる。
【００５７】
端子台３０のコネクタ３３にコネクタ５１が挿入されることにより、内部回路３５は、接続ケーブル８の信号線９と電気的に非導通とされ、休止状態となる。なお、受配電装置３に接続された開閉器や計測器等の受配電設備は、動作を継続する。
【００５８】
（送受信部５２）
送受信部５２は、送受信を制御部５３に制御される。送受信部５２は、接続ケーブル８を介し、監視制御装置２に接続された確認装置親器４との間で、確認信号の受信、返信信号の送信を行う。送受信部５２は、接続ケーブル８の信号線９ごとに、確認装置親器４との間で確認信号の受信、返信信号の送信を行う。
【００５９】
（出力部５４）
出力部５４は、表示を制御部５３に制御される。出力部４４は、接続ケーブル８の信号線９ごとの導通、非導通、混信を表示する。
【００６０】
（操作部５５）
操作部５５は、プッシュスイッチ等の入力装置により構成される。操作部５５は、作業者に操作され開始信号を発生する。
【００６１】
（制御部５３）
制御部５３は、マイクロコンピュータ等により構成される。制御部５３は、後述するコンピュータプログラムを内蔵する。制御部５３は、送受信部４２、出力部４４、操作部５５に接続される。
【００６２】
制御部５３は、確認信号の受信、返信信号の送信を行うように送受信部５２を制御する。制御部５３は、送受信部５２による確認信号の受信に応じ、接続ケーブル８の信号線９ごとに、導通、非導通、混信の判断を行う。制御部５３は、接続ケーブル８の信号線９ごとの導通、非導通、混信を表示するように出力部５４を制御する。
【００６３】
制御部５３は、操作部５５から出力された開始信号を受信し、コンピュータプログラムにかかる動作を開始する。
【００６４】
［１−２．作用］
次に、本実施形態の電力監視制御システム１の作用を、図１〜図４に基づき説明する。
【００６５】
［Ａ．確認装置親器４の動作］
確認装置親器４は、図３に示すプログラムに従って動作を行う。以下に確認装置親器４の動作を図３に示すプログラムに沿って説明する。図３に示すプログラムは、制御部４３に内蔵される。図３に示すプログラムは、制御部４３により、繰り返し実行される。
【００６６】
（ステップＳ０１：開始信号が入力されたかの判断を行う）
制御部４３は、操作部４５から開始信号が入力されたかの判断を行う。開始信号は、作業者により操作部４５が、操作されることにより発生する。開始信号が入力されたと判断した場合（ステップＳ０１のＹＥＳ）、ステップＳ０２に移行する。開始信号が入力されたと判断しない場合（ステップＳ０１のＮＯ）、開始信号が入力される待ち状態を継続する。
【００６７】
（ステップＳ０２：送受信部４２から確認信号の送信を行う）
ステップＳ０１にて開始信号が入力されたと判断された場合、制御部４３は、接続ケーブル８の信号線９を介し、確認装置子器５に対し確認信号の送信を行う。確認信号の送信は、導通確認の対象となる接続ケーブル８の信号線９ごとに、順番に行われる。
【００６８】
例えば、接続ケーブル８の信号線９ａに対して確認信号が送信されるとき、信号線９ｂ〜９ｐは設置電位とされる。つまり導通確認の対象となる接続ケーブル８の一つの信号線９に対し確認信号が送信され、接続ケーブル８の他の信号線９は設置電位とされる。確認信号は、例えば「信号線９ａの確認を行う」旨を表すシリアル信号である。ステップＳ０２〜Ｓ０７が繰り返され接続ケーブル８の信号線９ａ〜９ｐの導通確認が行われる。
【００６９】
（ステップＳ０３：送受信部４２を受信状態とする）
次に、制御部４３は、送受信部４２を受信状態とし、確認装置子器５から送信される返信信号を待つ。返信信号は、確認信号が送信された信号線を用い、確認装置子器５から半二重通信にて送信される。返信信号は、後述する確認装置子器５の制御部５３に内蔵されたプログラムのステップＲ０４またはＲ０５により、送信される。
【００７０】
返信信号は、ステップＳ０２にて確認信号が送信された信号線９の導通、混信を示すコードを含む。非導通の場合、確認装置子器５から確認信号は送信されない。制御部４３は、送受信部４２による返信信号の受信に応じ、接続ケーブル８の信号線９ごとに、導通、非導通、混信の判断を行う。信号線９の導通、非導通、混信は、確認装置子器５のプログラムのステップＲ０２またはＲ０３にて判断される。
【００７１】
（ステップＳ０４：返信信号を一定時間内に受信したかの判断を行う）
次に、制御部４３は、確認装置子器５から返信信号を一定時間内に受信したかの判断を行う。確認装置子器５から返信信号を一定時間内に受信した場合、制御部４３は、ステップＳ０２にて、確認信号が送信された信号線（例えば信号線９ａ）が導通であると判断する。一方、確認装置子器５から返信信号を一定時間内に受信しない場合、制御部４３は、ステップＳ０２にて、確認信号が送信された信号線（例えば信号線９ａ）が非導通であると判断する。
【００７２】
確認装置子器５から返信信号を一定時間内に受信したと判断した場合（ステップＳ０４のＹＥＳ）、ステップＳ０５に移行する。確認装置子器５から返信信号を一定時間内に受信したと判断しない場合（ステップＳ０４のＮＯ）、ステップＳ０７に移行する。
【００７３】
（ステップＳ０５：信号線９が、正常、異常であるかの判断を行う）
ステップＳ０４にて返信信号を一定時間内に受信したと判断された場合、制御部４３は、返信信号が、正常、異常のいずれを示すかの判断を行う。前述のとおり返信信号は、ステップＳ０２にて確認信号が送信された信号線の導通、混信を示すコードを含む。返信信号が導通を示すコードを含む場合、制御部４３は、ステップＳ０２にて確認信号が送信された信号線９が、正常であると判断する。返信信号が、混信を示すコードを含む場合、制御部４３は、ステップＳ０２にて確認信号が送信された信号線９が異常であると判断する。
【００７４】
信号線９が、正常であると判断した場合（ステップＳ０５の正常）、ステップＳ０６に移行する。信号線９が、異常であると判断した場合（ステップＳ０５の異常）、ステップＳ０７に移行する。
【００７５】
（ステップＳ０６：異常がないことを示す表示を行う）
ステップＳ０５にて信号線９が、正常であると判断された場合、制御部４３は、出力部４４により異常がないことを示す表示を行う。出力部４４による異常がないことを示す表示は、接続ケーブル８の信号線９ごとに行われる。具体的には出力部４４の、ステップＳ０２にて確認信号が送信された信号線９（例えば信号線９ａ）に対応したＬＥＤが点灯させられる。
【００７６】
（ステップＳ０７：異常があることを示す表示を行う）
ステップＳ０４にて返信信号を一定時間内に受信したと判断されない場合、およびステップＳ０５にて信号線９が、異常であると判断された場合、制御部４３は、出力部４４により異常があることを示す表示を行う。出力部４４による異常があることを示す表示は、出力部４４の液晶表示器により、エラーコードを表示することにより行われる。
【００７７】
ステップＳ０２〜Ｓ０７が繰り返されることにより、接続ケーブル８の信号線９ａ〜９ｐの導通確認が行われる。信号線９ａ〜９ｐの導通確認終了後、制御部４３は、一連のプログラムを終了する。
【００７８】
［Ｂ．確認装置子器５の動作］
確認装置子器５は、図４に示すプログラムに従って動作を行う。以下に確認装置子器５の動作を図４に示すプログラムに沿って説明する。図４に示すプログラムは、制御部５３に内蔵される。図４に示すプログラムは、制御部５３により、繰り返し実行される。
【００７９】
（ステップＲ０１：開始信号が入力されたかの判断を行う）
制御部５３は、操作部５５から開始信号が入力されたかの判断を行う。開始信号は、作業者により操作部５５が、操作されることにより発生する。開始信号が入力されたと判断した場合（ステップＲ０１のＹＥＳ）、ステップＲ０２に移行する。開始信号が入力されたと判断しない場合（ステップＲ０１のＮＯ）、開始信号が入力される待ち状態を継続する。
【００８０】
（ステップＲ０２：確認信号を一定時間内に受信したかの判断を行う）
ステップＲ０１にて開始信号が入力されたと判断された場合、制御部５３は、確認装置親器４から確認信号を一定時間内に受信したかの判断を行う。確認信号は、例えば「信号線９ａの確認を行う」旨を表すシリアル信号であり、接続ケーブル８の信号線９ａ〜９ｐごとに順に、確認装置親器４から送信される。制御部５３は、確認装置親器４から確認信号を一定時間内に受信したかに基づき、接続ケーブル８の信号線９ａ〜９ｐの導通の確認を行う。
【００８１】
確認装置親器４から確認信号を一定時間内に受信した場合、制御部５３は、確認装置親器４のステップＳ０２にて、確認信号が送信された信号線９（例えば信号線９ａ）が導通であると判断する。確認装置親器４から確認信号を一定時間内に受信しない場合、制御部５３は、確認装置親器４のステップＳ０２にて、確認信号が送信された信号線９（例えば信号線９ａ）が非導通であると判断する。ステップＲ０２〜Ｒ０７が繰り返され接続ケーブル８の信号線９ａ〜９ｐの導通確認が行われる。
【００８２】
確認装置親器４から確認信号を一定時間内に受信したと判断した場合（ステップＲ０２のＹＥＳ）、ステップＲ０３に移行する。確認装置親器４から確認信号を一定時間内に受信したと判断しない場合（ステップＲ０２のＮＯ）、ステップＲ０７に移行する。
【００８３】
（ステップＲ０３：確認信号の混信はないかの判断を行う）
ステップＲ０２にて確認装置親器４から確認信号を一定時間内に受信したと判断された場合、制御部５３は、確認信号の混信はないかの判断を行う。確認信号は、確認装置親器４のステップＳ０２により、導通確認の対象となる接続ケーブル８の信号線９ごとに、順番に送信される。
【００８４】
例えば、接続ケーブル８の信号線９ａに対して確認信号が送信されるとき、信号線９ｂ〜９ｐは設置電位とされる。つまり導通確認の対象となる接続ケーブル８の一つの信号線９に対し確認信号が送信され、接続ケーブル８の他の信号線９は設置電位とされる。確認信号は、例えば「信号線９ａの確認を行う」旨を表すシリアル信号である。
【００８５】
制御部５３は、確認信号が送信された、接続ケーブル８の一つの信号線９（例えば信号線９ａ）とは異なる信号線９（例えば信号線８ｂ）に、確認信号が現れた場合、混信があると判断する。
【００８６】
確認信号の混信がないと判断した場合（ステップＲ０３のＹＥＳ）、ステップＲ０４に移行する。確認信号の混信がないと判断しない場合（ステップＲ０３のＮＯ）、ステップＲ０６に移行する。
【００８７】
（ステップＲ０４：導通を示す返信信号の送信を行う）
ステップＲ０３にて確認信号の混信がないと判断された場合、制御部５３は、送受信部５２から導通を示すコードを含む返信信号の送信を行う。返信信号の送信は、接続ケーブル８の信号線９ごとに行われる。返信信号は、確認信号に応答する形で送信されるシリアル信号である。返信信号は、確認装置親器４のステップＳ０２にて確認信号が送信された信号線９を用いて送信される。
【００８８】
（ステップＲ０５：異常がないことを示す表示を行う）
次に、制御部４３は、出力部５４により異常がないことを示す表示を行う。出力部５４による異常がないことを示す表示は、接続ケーブル８の信号線９ごとに行われる。具体的には出力部５４の、信号線９（例えば信号線９ａ）に対応したＬＥＤが点灯させられる。
【００８９】
（ステップＲ０６：混信を示す返信信号の送信を行う）
ステップＲ０３にて確認信号の混信はないと判断されない場合、制御部５３は、送受信部５２から混信を示すコードを含む返信信号の送信を行う。返信信号の送信は、接続ケーブル８の信号線９ごとに行われる。返信信号は、確認信号に応答する形で送信されるシリアル信号である。返信信号は、確認装置親器４のステップＳ０２にて確認信号が送信された信号線９を用いて送信される。
【００９０】
（ステップＲ０７：異常があることを示す表示を行う）
ステップＲ０２にて確認信号を一定時間内に受信したと判断されない場合、およびステップＲ０３にて混信はないと判断されない場合、制御部５３は、出力部５４により異常があることを示す表示を行う。出力部５４による異常があることを示す表示は、出力部５４の液晶表示器により、エラーコードを表示することにより行われる。
【００９１】
ステップＲ０２〜Ｒ０７が繰り返されることにより、接続ケーブル８の信号線９ａ〜９ｐの導通確認が行われる。信号線９ａ〜９ｐの導通確認終了後、制御部５３は、一連のプログラムを終了する。
【００９２】
［１−３．効果］
（１）本実施形態によれば、接続ケーブル８の一端に接続された第１の端子台３０を有し、電力の監視制御を行う受配電装置３と、接続ケーブル８の他端に接続された第２の端子台２０を有し、接続ケーブル８を介し受配電装置３との間で、監視制御信号の送受信を行う監視制御装置２と、第２の端子台２０に装着されることで、接続ケーブル８に接続される確認装置親器４と、第１の端子台３０に装着されることで、接続ケーブル８に接続される確認装置子器５と、を有し、確認装置親器４と確認装置子器５により接続ケーブル８の導通が確認されるので、接続ケーブルの導通確認の手間を軽減することができる電力監視制御システムを提供することができる。
【００９３】
本実施形態によれば、監視制御装置２の端子台２０に確認装置親器４が、受配電装置３の端子台３０に確認装置子器５が容易に取り付けられるので、接続ケーブルの導通確認の手間を軽減することができる電力監視制御システムを提供することができる。
【００９４】
本実施形態によれば、監視制御装置２、受配電装置３を新設する場合、監視制御装置２、受配電装置３間に追加の接続ケーブル８を設ける場合、および接続ケーブル８の一部の信号線９を削除する場合に、容易に接続ケーブル８の導通確認を行うことができる。
【００９５】
また、本実施形態によれば、受配電装置３に接続された開閉器、計測器等の受変電設備を停止することなく接続ケーブル８の導通確認を行うことができる。
【００９６】
（２）本実施形態によれば、受配電装置３の第１の端子台３０に確認装置子器５が装着されることで、受配電装置３の内部回路３５と接続ケーブル８が電気的に非導通とされ、監視制御装置２の第２の端子台２０に確認装置親器４が装着されることで、監視制御装置２の内部回路２５と接続ケーブル８が電気的に非導通とされるので、作業者が安全に接続ケーブル８の導通確認を行うことができる電力監視制御システムを提供することができる。
【００９７】
（３）本実施形態によれば、受配電装置３の第１の端子台３０に確認装置子器５が装着されることで、受配電装置３から確認装置子器５に電源供給され、監視制御装置２の第２の端子台２０に確認装置親器４が装着されることで、監視制御装置２から確認装置親器４に電源供給されるので、導通確認のために別途電源を用意することが必要とされず、作業者が容易に接続ケーブル８の導通確認を行うことができる電力監視制御システムを提供することができる。
【００９８】
（４）本実施形態によれば、確認装置親器４は、確認装置子器５に対し接続ケーブル８の信号線９ごとに確認信号を送信するので、多数の信号線９ごとに導通確認を行うことができる電力監視制御システムを提供することができる。また、信号線９ごとに導通確認を行うことにより、異常があった信号線９を特定することに役立てることができる。
【００９９】
（５）本実施形態によれば、確認装置親器４から送信される確認信号は、一定の電圧であり、確認装置子器５により、この確認信号に基づき、接続ケーブル８の信号線９ごとに導通が確認されるので、単純な構成にて、確認装置親器４、確認装置子器５を構成することができる。その結果、確認装置親器４、確認装置子器５の高信頼化、低価格化に寄与することができる。
【０１００】
（６）本実施形態によれば、確認装置親器４から送信される確認信号は、シリアル信号であり、確認装置子器５により、この確認信号に基づき、接続ケーブル８の信号線９ごとに導通が確認され、確認装置子器５から、確認信号が送信された接続ケーブル８の信号線９を用いてシリアル信号にて、確認信号に応答する返信信号が、確認装置親器４に送信されるので、確認装置子器５側のみならず、確認装置子器５側で、接続ケーブル８の信号線９ごとの導通の確認を行うことができる。確認装置親器４と確認装置子器５が離れた場所に設置されている場合、確認装置子器５側で、接続ケーブル８の信号線９ごとの導通の確認を行うことができる。これにより導通の確認を行う作業者の人数を削減することができる。
【０１０１】
［２．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【０１０２】
（１）上記実施形態では、監視制御装置２は、受配電装置３に対し監視制御を行う装置であるものとしたが、制御信号、監視信号を中継する装置であってもよい。
【０１０３】
（２）上記実施形態では、ケーブル接続端子２１は、接続ケーブル８の各信号線９が座金６３を介し固定ネジ６２により導電板６１に固定される構造としたが、ケーブル接続端子２１の構造は、これに限られない。ケーブル接続端子２１は、例えば、コネクタにより構成されたもの、半田付けにより溶接されるものであってもよい。
【０１０４】
（３）上記実施形態では、内部回路接続端子２２は、内部回路２５の各線が座金６６を介し固定ネジ６５により導電板６４に固定される構造としたが、内部回路接続端子２２の構造は、これに限られない。内部回路接続端子２２は、例えば、コネクタにより構成されたもの、半田付けにより溶接されるものであってもよい。
【０１０５】
（４）上記実施形態では、確認装置親器４には監視制御装置２から、確認装置子器５には受配電装置３から電源電圧が供給されるものとしたが、確認装置親器４、確認装置子器５は、電池等による個別の電源を有していてもよい。
【０１０６】
（５）上記実施形態では、出力部４４、５４は、表示素子により構成された表示装置としたが、出力部４４，５４の構成は、これに限られない。出力部４４、５４は、プリンタや送受信装置であってもよい。
【０１０７】
（６）上記実施形態では、操作部４５、５５はプッシュスイッチ等の入力装置により構成されるものとしたが、操作部４５、５５は、これに限られない。操作部４５、５５は、テンキーやキーボード等の入力装置でもよいし、また、通信によりコマンドが入力されるものであってもよい。
【０１０８】
（７）上記実施形態では、確認装置親器４は、非導通、混信の場合とも、ステップＳ０７にて異常があることを示す表示を行うこととしたが、異常があることを示す表示の態様は、これに限られない。例えば非導通の場合、信号線に対応した赤色ＬＥＤが点灯するようにし、混信の場合、混信が発生した信号線の名称を液晶表示等により表示するようにしてもよい。また、確認装置子器５は、混信がある場合、ステップＲ０６にて混信を示すコードを含む返信信号を送信することとしたが、混信している複数の信号線の名称を送信するようにしてもよい。
【０１０９】
（８）上記実施形態では、監視制御装置２の端子台２０に確認装置親器４のコネクタ４１が装着されることにより内部回路２５と接続ケーブル８の信号線９が非導通に、受配電装置３の端子台３０に確認装置子器５のコネクタ５１が装着されることにより内部回路３５と接続ケーブル８の信号線９が非導通になるものとした。しかしながら、監視制御装置２および受配電装置３を停止した状態で、導通確認を行うこととし、監視制御装置２の端子台２０に確認装置親器４のコネクタ４１が装着されても内部回路２５と接続ケーブル８の信号線９が導通状態を継続し、受配電装置３の端子台３０に確認装置子器５のコネクタ５１が装着されても内部回路３５と接続ケーブル８の信号線９が導通状態を継続するものであってもよい。
【０１１０】
（９）上記実施形態では、確認装置親器４の送受信部４２からシリアル信号による確認信号を送信し、確認装置子器５の送受信部５２からシリアル信号による返信信号を送信するものとした。しかしながら、確認装置親器４の送受信部４２から、接続ケーブル８の信号線９ごと、順番に、確認信号として一定の電圧を送信し、この送信された電圧に基づき確認装置子器５にて導通、非導通、混信を判断し、出力部５４から出力するようにしてもよい。
【符号の説明】
【０１１１】
１・・・電力監視制御システム
２・・・監視制御装置
３・・・受配電装置
４・・・確認装置親器
５・・・確認装置子器
８・・・接続ケーブル
９・・・信号線
２０、３０・・・端子台
２１、３１・・・ケーブル接続端子
２２、３２・・・内部回路接続端子
２３、３３・・・コネクタ
２５、３５・・・内部回路
４１、５１・・・コネクタ
４２、５２・・・送受信部
４３、５３・・・制御部
４４、５４・・・出力部
４５、５５・・・操作部
６０、７０・・・基材
６１、６４・・・導電板
６２、６５・・・固定ネジ
６３、６６・・・座金
６７、６８、７１・・・端子
【図１】
2019082427.tif 000003
【図２】
2019082427.tif 000004
【図３】
2019082427.tif 000005
【図４】
2019082427.tif 000006